(57)【特許請求の範囲】
【請求項１】
鏝板上面に握り柄を設け、該鏝板下面に垂下する長さ15〜45mm、直径１〜４mmの針状突起を４〜６mm間隔で多数並設してなり、前記針状突起はコンクリートの天面に鏝板を接して没入が規制され、該針状突起先端に押される骨材を針状突起の長さ分だけコンクリートの天面から沈める構成としてなるコンクリートの骨材沈め具。
【請求項２】
鏝板は、扁平な面材である請求項１記載のコンクリートの骨材沈め具。
【請求項３】
鏝板は、バイブレータ部を付設してあり、該バイブレータ部と一体に振動するようにした請求項１記載のコンクリートの骨材沈め具。
【発明の詳細な説明】
【０００１】
【発明の属する技術分野】
本発明は、打設したコンクリートの骨材を沈めて養生時のコンクリートの均し代や縮み代を確保するコンクリートの骨材沈め具に関する。
【０００２】
【従来の技術】
打設したコンクリートは、天面から一定深さまで骨材を沈め、養生する。これは、天面の平坦化に伴うコンクリートの均し代や、養生に際するコンクリートの縮み代の確保を目的としている。こうした骨材沈め具としては、実開平05-006011号「継ぎ目部の表面加工治具」及び実用新案登録第3055025号「コンクリート仕上用鏝」等を例示できる。
【０００３】
実開平05-006011号は、コンクリートの打継ぎ部やモルタルの塗り継ぎ部の継ぎ目部の表面に凹凸を形成する際に、前記継ぎ目部の骨材を浮かせずに溝を形成する治具に関する技術である。また、実用新案登録第3055025号は、鏝板本体に砂利等の骨材の大きさより小さな多数の透孔を配設した鏝に関する技術である。前記実開平05-006011号よりも広く、直接的に骨材を沈めることに特化した技術である。
【０００４】
【発明が解決しようとする課題】
打設したコンクリートの天面において骨材を一定深さにまで沈める観点から、上記実用新案登録第3055025号が好ましい。ここで、骨材を沈めるには、骨材に上方から圧力を加えることができても、コンクリートを排除しない構成が必要で、実用新案登録第3055025号では前記構成を透孔からなる網目状鏝板で実現している。すなわち、網目を構成する連結桟がコンクリートを押し退けてコンクリート内へ没入するが、鏝板を引き上げると連結桟が押し退けていた範囲に再びコンクリートが流れ込み、不要にコンクリートを排除せずに骨材だけを沈降させることができるわけである。
【０００５】
しかし、骨材には大小様々な大きさがあり、それらすべてを考慮して透孔の大きさを決めると目が細かくなり過ぎる問題がある。また、網目を構成する連結桟が太すぎるとコンクリートを排除してしまうし、逆に細すぎると骨材に押し返されて変形してしまう虞れもある。仮に網目が変形しなくても、網目はコンクリートに対する抵抗が大きく、骨材を深く沈降させることが難しい。骨材の沈降が浅いと、天面の均しの程度によっては、養生後天面から骨材が覗くことにもなり、結果として上塗りを要する等、天面高さが調節できない問題を引き起こす。
【０００６】
また、作業者が握り柄を持って鏝板本体に圧力をかける場合、均一に圧力をかけることができず、上記網目の問題が偏在して発生し、天面全体にわたって均等な骨材の沈降が実現できなくなる問題もある。そこで、網目状の鏝板本体に代わって、確実に骨材を沈降させることができ、作業者が用いながら均等な骨材の沈降が実現できる骨材沈め具を開発するため、検討した。
【０００７】
【課題を解決するための手段】
検討の結果開発したものが、鏝板上面に握り柄を設け、この鏝板下面に垂下する針状突起を多数並設したコンクリートの骨材沈め具である。本発明の骨材沈め具は、鏝板及び握り柄に関しては従来見られるコンクリートの天面の均し具同様でもよいが、鏝板下面に垂下する針状突起を多数並設した点に特徴がある。すなわち、網目状の鏝板本体で骨材を沈めるのではなく、針状突起で骨材を沈める。このため、鏝板自体はコンクリートを排除するような扁平な面材で構成してもよい。むしろ、骨材を沈める際の反力に抗する強度が得られるように、鏝板は面材で構成する方が好ましい。この場合、鏝板がコンクリートの天面に接して、針状突起がコンクリートの天面から没入する深さを規制する。これにより、骨材が沈められる深さは、鏝板下面から針状突起先端まで＝針状突起の長さとなる。
【０００８】
このように、本発明の特徴は針状突起にあるが、骨材に圧力を加えることから一定の太さが必要である。具体的な針状突起は、直径１〜４mmであることが望ましい。より好ましくは２〜３mmであり、直径の決定は使用する材質によって任意に決定してよい。また、骨材を沈める深さとなる針状突起の長さは、15〜45mm、好ましくは20〜40mmがよい。これから、針状突起の間隔が広すぎると骨材が針状突起間に嵌まり込み、抜けなくなる虞れが生ずる。そこで、針状突起は、４〜６mm間隔で多数並設する。針状突起の数が多くても、それぞれがいわば点でしかないので、コンクリートの天面から針状突起を没入させても、コンクリートを排除して天面の形状を大きく崩すことはない(仕上げに別途天面は均す)。好ましくは、針状突起は５mm前後の間隔で多数並設するとよい。
【０００９】
本発明の骨材沈め具は、作業者が握り柄を持って鏝板をコンクリートの天面に押し付けるように針状突起を天面から没入させ、針状突起先端で骨材を押さえ付けて沈める。上記のように、強度のある扁平な面材と直径の太い針状突起とを用いることで反力に負けずに骨材を押し沈めることができるが、実際には握り柄を中心として鏝板が傾いたりして、均等に骨材を沈めにくい場合も起きうる。これから、鏝板はバイブレータ部を付設して、このバイブレータ部と一体に振動させるとよい。バイブレータ部による振動は、上下方向が好ましいが、基本的に作業者が握り柄を持って下方に押し付けているので、特に振動方向を定めなくてもよい。また、振動幅は大きなものより小さいもの、およそ数mm振幅が好ましい。このようなバイブレータ部の振動は、鏝板下面の針状突起を小刻みに動かし、骨材を適度に押し沈めていく。前記バイブレータ部は電動が好ましく、外部電源でもよいが、鏝板上にバッテリを共に搭載するとよい。バイブレータ部による振動は小さいものでよいため、振動機構としては携帯電話に用いられているようなバイブレーション手段を利用できる。
【００１０】
【発明の実施の形態】
以下、本発明の実施形態について図を参照しながら説明する。図１は本発明を適用した骨材沈め具の正面図、図２は同骨材沈め具の部分破断平面図、図３は同骨材沈め具の側面図、図４は部材組付け関係を表す同骨材沈め具を上方から見た斜視図、図５は同骨材沈め具を下方から見た斜視図であり、図６は同骨材沈め具の使用状態を表す部分拡大側面図である。各図から明らかなように、本例の骨材沈め具は平面視左右及び前後対称な外観を有する。このように、本例の骨材沈め具は、鏝板１の下面に並設した針状突起２を除いて従来見られる均し具(又は均し鏝)に似ているので、取扱いも前記均し具等に準じる。
【００１１】
本例の骨材沈め具は、鏝板１の上面に合成樹脂製握り柄３、同下面に金属製針状突起２を多数並設している。鏝板１は、図１、図２及び図３に見られるように、幅100mm×長さ300mm×厚さ４mmの金属製の平坦な板材からなる。前記板材は、従来の均し具等と同様の素材でもよく、例えば合成樹脂(下記握り柄に例示する各種合成樹脂参照)製でも構わないが、強度、耐候性及び防錆性を備えると共に、骨材を押し沈めるのに適当な重量を得るには金属製が好ましい。この場合、アルミ又はアルミ合金製とすれば300〜340ｇ、スチール又はステンレス製とすれば930〜980ｇ、チタン又はチタン合金製とすれば520〜570ｇとなる。
【００１２】
握り柄３は、直径20mm×100mmの柄本体４を高さ50mmの略錐体状取付部５,５で両持ち支持した構造である。この握り柄３の素材は、金属、木材、合成樹脂(プラスチック)等を単独又は組み合わせて使用できるが、上記鏝板１と異なり、比較的軽量な木材又は合成樹脂が好ましい。また、握りやすさを考慮すると木材が好ましいが、生産性を考慮した場合、取付部と一体に形成できる合成樹脂が好適である。前記合成樹脂の種類は限定されず、ポリオレフィン樹脂、ポリアミド樹脂、ポリエステル樹脂、ポリ塩化ビニル樹脂、ポリスチレン系樹脂、フェノール樹脂等が例示できる。これら合成樹脂を用いて柄本体４及び取付部５,５を一体成形した場合の握り柄３の重量は、70〜100ｇとなる。本例では、図４に見られるように、取付部５を鏝板１の上面の雌ネジ嵌合突起６に嵌め込み、ネジ７により握り柄３を鏝板１と一体になるように取り付けている。例示は省略するが、握り柄の本数は問わず、１本を基本として複数本設けてもよい。
【００１３】
針状突起２は、個々に長さ25mm×直径２mmの金属製針状体で、先端は丸めている。この針状突起２は、図５に見られるように、５mm間隔(中心軸線間隔)で20(幅方向)×60(長さ方向)に垂下して鏝板１の下面に並設している。針状突起２の素材も自由であり、例えば硬質の合成樹脂(上記握り柄に例示する各種合成樹脂参照)も用いることができるが、実際には必要強度、耐候性及び防錆性の観点から、金属が好適に採用しうる。例えば、上記鏝板１と同種の金属を用いて本例の針状突起２を構成した場合、全針状突起２の総重量は、アルミ又はアルミ合金製とすれば235〜265ｇ、スチール又はステンレス製とすれば730〜770ｇ、チタン又はチタン合金製とすれば400〜450ｇとなる。以上から、本例の骨材沈め具は、総重量600〜1750ｇの範囲で構成できる。
【００１４】
本例の骨材沈め具は、図１に見られるように、握り柄３の柄本体４を作業者が手８で握り、針状突起２を下方に向けた状態でコンクリート９の天面10に押し当て、図６に見られるように、針状突起２をコンクリート９内に没入させることにより、針状突起２先端で骨材11を押し沈める。骨材11を押し沈めるに際し、コンクリート９内へ没入させた針状突起２の相当範囲だけコンクリート９は排除されるが、針状突起２を引き抜くとすぐに周囲のコンクリート９が前記針状突起２の相当範囲に流れ込み、外観上コンクリート９の天面10に針状突起２相当の孔が開くことはない。針状突起２は、鏝板１がコンクリート９の天面10に接して没入が規制されるから、針状突起２先端に押される骨材11は、鏝板１の下面から針状突起の先端まで、すなわち針状突起２の長さ分だけ天面10から沈められる。骨材11沈降後、天面10は別途均し具で平坦にする。
【００１５】
図７は鏝板１に電動バイブレータ部12を一体に備え付けた振動型骨材沈め具を上方から見た斜視図である。既述したように、本発明の骨材沈め具は、基本的には作業者が手に持ち、作業者の力加減に従って針状突起をコンクリート内へ没入させることにより、前記針状突起先端で骨材を押し沈める。しかし、骨材は大きさ、形状が様々であり、必ずしも均一に圧力を加えて均等に沈降させることは難しい。本例の振動型骨材沈め具は、鏝板１に一体に備え付けた電動バイブレータ部12により鏝板１全体を振動させ、作業者の手による圧力を鏝板１全体に分散させつつ、振動により針状突起２を多方向から骨材に押し当てて骨材の塊を押し沈める。
【００１６】
本例に示す電動バイブレータ部12は、携帯電話のバイブレータ機能を提供する機構と同様で、直流モータの回転軸へ偏芯錘を取り付けた振動機構と、直流バッテリとを併設した構造(それぞれ図示略)で、外部から電源の供給を受けなくてもよい。鏝板１は、こうした電動バイブレータ部12と一体になって振動するため、前記振動が作業者の手による握り柄の把持に影響する懸念がある。そこで、本例の握り柄３は、電動バイブレータ部12から突設した金属製取付部13,13上端に同じく金属製支持軸14を架設し、前記支持軸14に木製円筒柄15を遊嵌している。この円筒柄15は支持軸14に対して自由状態にあるため、鏝板１が振動しても作業者は手を緩めずに円筒柄15を握ることができる。
【００１７】
図８は骨材沈め具の針状突起16の長さを加減する介装板17を用いる例を表す斜視図である。本発明の骨材沈め具は、鏝板が天面に接し、骨材沈め具全体がそれ以上コンクリートに埋没しないように規制する働きを有する。よって、作業者は常に天面に鏝板を押し当てるように骨材沈め具を用いれば、骨材は針状突起の長さに従い、均等に沈降させることができる。しかし、より浅く骨材を沈めたい場合、鏝板をコンクリートの天面に押し当てずに浮かせた状態で針状突起をコンクリート内へ没入させなければならず、作業性を大きく損ねることになる。また、より深く骨材を沈めたい場合は、鏝板が邪魔になる問題がある。そこで、図８に示すように、通常必要な骨材の沈降量よりも長い針状突起16を鏝板１の下面に並設し、貫通孔18が針状突起16と同配列された介装板17を必要枚数挿し、最下層の介装板17の下面から突出する針状突起16の長さ＝実質的にコンクリートに没入する長さを加減できるようにするとよい。鏝板１及び介装板17と介装板17,17相互とは、両端に設けた嵌合雄雌部19,20を嵌合して使用時の一体性を確保する。介装板17は軽量なほど好ましいため、合成樹脂板(上記握り柄に例示する各種合成樹脂参照)とするとよい。図示は省略するが、この介装板は上記振動型骨材沈め具(図７参照)にも利用できる。
【００１８】
図９は大型鏝板21に均し板22を付設し、長尺の握り柄23を傾倒自在に取り付けた骨材沈め具の斜視図である。本発明の骨材沈め具の大きさは自由である。上述の各例では、作業者が手に持って使用する関係から鏝板の大きさに限定があり、広い範囲で骨材の沈降を試みる場合は作業時間が増大する。そこで、図９に見られるように、大型鏝板21を用いて一度に広い範囲で骨材の沈降ができるようにしている。更に、本例では鏝板21へ均し板22を着脱自在に付設し、鏝板21を扱う握り柄23を長尺とし、鏝板21に対して傾倒自在に軸着している。これにより、作業者はコンクリートの天面に対して少し離れて立ち、鏝板21の下面の針状突起２により骨材を沈めながら、併せて均し板22で天面を平滑に均すことができる。図示は省略するが、本例の骨材沈め具においても、鏝板にバイブレータ部を付設してもよい。
【００１９】
【発明の効果】
本発明の骨材沈め具により、打設したコンクリートの天面において骨材を一定深さにまで沈めることが容易にできるようになる。これは、骨材を均等に希望する深さまで確実に沈めることができる意味で、従来同様の治具等に比べて実質的有用性がある。しかも、構造は至って簡素であり、生産コストも抑制できる一方で、従来の片手に持つ均し具等と外観及び重量がさほど変わらず、作業者が手に持って取扱うことができるため、使用しやすい利点がある。
【００２０】
また、均一な骨材の沈降は、鏝板に付設してこの鏝板と一体に振動するバイブレータ部により容易に実現できる。作業者は、手に骨材沈め具を持ち、コンクリートの天面に軽く押し当てた状態でバイブレータ部を作動させれば、後は振動により骨材を鏝板の範囲で均等に沈降していく。同様の作業を天面全体に対して順次実施すれば、天面全体における骨材の均等な沈降が実現できる。これは、極めて直感的な作業であって作業者に理解しやすく、そして作業者の労力を軽減する効果を有する。
【図面の簡単な説明】
【図１】本発明を適用した骨材沈め具の正面図である。
【図２】骨材沈め具の部分破断平面図である。
【図３】骨材沈め具の側面図である。
【図４】部材組付け関係を表す同骨材沈め具を上方から見た斜視図である。
【図５】骨材沈め具を下方から見た斜視図である。
【図６】骨材沈め具の使用状態を表す部分拡大側面図である。
【図７】鏝板に電動バイブレータ部を一体に備え付けた振動型骨材沈め具を上方から見た斜視図である。
【図８】骨材沈め具の針状突起の長さを加減する介装板を用いる例の斜視図である。
【図９】大型鏝板に均し板を付設し、長尺の握り柄を傾倒自在に取り付けた骨材沈め具の斜視図である。
【符号の説明】
１  鏝板
２  針状突起
３  握り柄
９  コンクリート
10  天面
11  骨材
12  電動バイブレータ部
16  針状突起
17  介装板
18  貫通孔
21  大型鏝板
22  均し板
23  長尺の握り柄
【図１】
0003800595.tif 000002
【図２】
0003800595.tif 000003
【図３】
0003800595.tif 000004
【図４】
0003800595.tif 000005
【図５】
0003800595.tif 000006
【図６】
0003800595.tif 000007
【図７】
0003800595.tif 000008
【図８】
0003800595.tif 000009
【図９】
0003800595.tif 000010